(57)【要約】【課題】機動モーターは螺旋バーの旋動とともに異動するに際して、横バーおよび引っ張りバーを予期できる方向に移動させ、歩行フレームの回転軸点を軸旋方向に回転させて、高度調整での効果を生み出す。【解決手段】歩行フレームの前端に固定伝動螺旋バーの昇降モーターが設けられており、螺旋バーの旋動を以って前後位置を移動し、また一端を、歩行フレームに┴形横バーに結合させ、その後、横バーの露出部分を歩行フレーム両側にそれぞれ一つずつ引っ張りバーを設置し、同時に当該の引っ張りバーをもう一端の手すりフレームの適切な箇所に結合させ、回転軸点を形成する歩行器昇降調整装置。【選択図】　　　図１
0003097400.tif 000002
【実用新案登録請求の範囲】
【請求項１】
歩行器昇降調整装置にして、
手すりフレームを歩行フレームの前端の両側に装着し、上端には電子制御メーターを備え、底端には接地面を設け、歩行フレームは、第一横バーで歩行ベルトのモーター伝動キットと連動し、またベルトの動きを通じて前のローリングロールを駆動させ、当該ロールをもう一つの後方ロールの作用と連動させることで、歩行ベルトを作動させ、その後、当該歩行フレームの後端底部の両内側の適切な箇所に、それぞれ一箇所支えを接地する箇所を設け、
歩行フレーム前端に設置された固定伝動螺旋バーの昇降モーターにおいて、当該螺旋バーの動きを利用して前後に移動し、また当該パイプのもう一端は歩行フレームの┴形横バーの上端中心部と結合させ、その後、┴形横バーを歩行フレームの両側に露出させ、それぞれを引っ張りバーに固定接続し、同時に当該の引っ張りバーのもう一端の中心部を手すりフレームの適切な箇所に接続して、転換軸点を形成することを特徴とする歩行器昇降調整装置。
【請求項２】
前記┴形横バーの下端中央の適切な箇所を別途の支えバーに結合させ、また当該支えバーの底端が滑車と連動して地面と接し、その後、当該支えバーの押さえも適切な押さえに結合させ、押さえの作用を通じて歩行フレームを第二横バーに結合させる請求項１に記載の歩行器昇降調整装置。
【考案の詳細な説明】
【０００１】
【考案の属する技術分野】
本考案は歩行器昇降調整装置に関係し、より詳細に言えば特に相当精緻で簡潔な構造を備えており、また効果的に製造・アセンブリでのコストを低減させる新規な考案でもある。
歩行器昇降調整装置の機能に即して言えば、主に歩行フレームの角度を調整（すなわち歩行面での角度調整）することにある。一般に言って手動及び伝動の二種類に分かれるものであり、このうち本考案は伝動に対する調整機構を改良したものである。
【０００２】
【従来の技術】
図５、図６、図７、図８に示された従来技術のものを参照すると、台座の６０にモーターキット６１が設けられ、同時に台座部の６０の裏側に６２の滑車機動が設けられ、６３の滑車と押さえ６４を連動させる前に、予期される作用へと移行する。このため、この６５の歩行フレームは、６４の押さえを配するのに適したものとする。
【０００３】
しかし、押さえ６４の支える力は、事前の案件を通じて押さえ６４及び台座６０の間に支えバー６６を設置するものとし、間接的に相対構造の複雑な構成としても、キットおよび構造物のコストでの浪費を生み出すには至らない。
【０００４】
【考案が解決しようとする課題】
本考案は歩行器昇降調整装置に関し、その歩行フレームの前端に固定伝動螺旋バーの昇降モーターが設けられており、当該螺旋バーの旋動を以って前後位置を移動し、また当該パイプのもう一端を、歩行フレームに┴形横バーに結合させる。その後、横バーの露出部分を歩行フレーム両側にそれぞれ一つずつ引っ張りバーを設置し、同時に当該の引っ張りバーをもう一端の手すりフレームの適切な箇所に結合させ、回転軸点を形成する。このため、機動モーターは螺旋バーの旋動とともに異動するに際して、横バーおよび引っ張りバーを予期できる方向に移動させ、歩行フレームの回転軸点を軸旋方向に回転させて、高度調整での効果を生み出す。
【０００５】
このため上述の要因に基づき、本案の考案者は仮に比較的容易なパーツを通じて、同等の効果を得ることが可能である場合、経済性と装着での利便性を深く備えていないものであっても、同時に支え力での掌握が理想的であるべきとする。このためその利用する手すりフレームとフレームの連結での調整バーは、回転軸点を構成するものとなる。前述の考案前における実際の運用上に存在した問題点を解消することとなるが、これこそ本考案の最も主要な考案目的でもある。
【０００６】
【実施例】
図１、図２の示す本考案の比較的優れた実施例を参照すると、ここに包括されるものは以下の通りである。
【０００７】
手すりフレーム１０を歩行フレーム２０の前端両側に装着し、上端には電子コントローラー１１を備え、底端には接地部１２を設け、歩行フレーム２０に第一横バー２１を介して歩行ベルト２４に連動させる。動作伝達キット３０、伝動ベルト３２を通じてローリングロール２２を動かし、当該の前ローリングロール２２を後方のローリングロール２３の作用に連動させ、歩行ベルト２４を稼動させた後、当該歩行フレーム２０の後端底部両内側の適所にそれぞれ支輪２５を設ける：
【０００８】
その特徴は：
歩行フレームの前端枢に定位置伝動螺旋バー４０の昇降モーター４１を設け、螺旋バー４０の旋動を利用してパイプ４２の前に動かす。後に移動し、パイプ４２のもう一方の端を固定した歩行フレーム２０の┴形横バー２６の上端に結合させる。それから歩行フレーム２０の両側をそれぞれ引っ張りバー２７に接続し、当該バー２７のもう一端を手すりフレーム１０の適切な場所に結合させ、回転軸点２８を形成する。このため昇降モーター４１を起動させ、パイプ４２を螺旋バー４０の旋動で移動させるとき、┴形の横バー２６、および引っ張りバー２７を予期できる方向に移動させ、歩行フレーム２０を転換軸点２８を旋回軸として高さを調整するなど予期できる作用を発揮させる。
【０００９】
もし、図３、図４の示すものが、その歩行フレーム２０において当該の転換軸点２８を結合させ、上向きに折り曲げて収納した上体となった場合、効果的に歩行フレーム２０を安定的に支え、┴形横バー２６の下端を中央の適切な箇所に支えバー５０で結合させ、当該バー５０の底端を滑車５１に対応させる。そして支えバー５０の押さえで適切な箇所で押さえ５２を結合させ、再び押さえ５２の作用で軸端を歩行フレーム２０の第二横バー２９を結合させる。
【００１０】
歩行フレーム２０を上に向けて折りたたんだ後、当該押さえ５２は恒常的に適度な押さえ力を提供し、予期できない傾倒など現象の発生を防止するものである。
【００１１】
【考案の効果】
以上の本考案の構成によれば、機動モーターは螺旋バーの旋動とともに異動するに際して、横バーおよび引っ張りバーを予期できる方向に移動させ、歩行フレームの回転軸点を軸旋方向に回転させて、高度調整での効果を生み出すことができる。
【００１２】
全体として言えば、本考案は確かに数多くの実質的な機能を増進させたと言う事実を備えており、これまでに物品や関係刊行物、文献などでも見られず、実用価値を備えている。
【図面の簡単な説明】
【図１】本考案の側面図。
【図２】図１で示した動作の側面図。
【図３】図１で示した歩行フレーム上折れ収納動作の側面図。
【図４】図３で示した斜視図。
【図５】昇降調整機構の分解図。
【図６】図５の示す機構の組立部分側面図。
【図７】図５の示す機構の組立部分側面図。
【図８】図の示す機構の歩行フレーム上折れ収納動作の側面図。
【図１】
0003097400.tif 000003
【図２】
0003097400.tif 000004
【図３】
0003097400.tif 000005
【図４】
0003097400.tif 000006
【図５】
0003097400.tif 000007
【図６】
0003097400.tif 000008
【図７】
0003097400.tif 000009
【図８】
0003097400.tif 000010